(57)【要約】      （修正有）【課題】信頼性の高い機器監視システム及び通信管理方法を提供する。【解決手段】現場に設置され、無線通信回線を介して通信を行う通信機器と、通信機器と無線通信回線を介して通信を行うと共に、通信機器との通信状態を監視する機器監視装置とを設け、機器監視装置が、一定周期で所定の疎通用信号を通信機器に送信し、通信機器が、疎通用信号の受信履歴を管理し、一定期間内に疎通用信号を受信できなかった場合に、機器監視装置との間の通信経路を再確立するための所定の復旧用信号を機器監視装置に送信するようにしたことにより、無線通信回線を利用した通信経路が切断された場合に、直ちに通信機器により通信経路の再確立が行われるため、早期復旧を図ることができ、かくして信頼性の高い機器監視システム及び通信監視方法を実現できる。【選択図】図１
2018113627.tif 000002
【特許請求の範囲】
【請求項１】
機器監視システムにおいて、
現場に設置され、無線通信回線を介して通信を行う通信機器と、
前記通信機器と前記無線通信回線を介して通信を行うと共に、前記通信機器との通信状態を監視する機器監視装置と
を備え、
前記機器監視装置は、
一定周期で所定の疎通用信号を前記通信機器に送信し、
前記通信機器は、
前記疎通用信号の受信履歴を管理し、一定期間内に前記疎通用信号を受信できなかった場合に、前記機器監視装置との間の通信経路を再確立するための所定の復旧用信号を前記機器監視装置に送信する
ことを特徴とする機器監視システム。
【請求項２】
前記通信機器は、
前記現場における電波強度を定期的に取得し、
前記機器監視装置からの前記疎通用信号の応答として、取得した前記電波強度を前記機器監視装置に送信し、
前記機器監視装置は、
前記通信機器から送信されてきた前記電波強度を表示する
ことを特徴とする請求項１に記載の機器監視システム。
【請求項３】
前記機器監視装置は、
前記電波強度又は当該電波強度に基づき判定される前記現場の電波レベルに基づいて、当該現場における電波受信用アンテナの設置位置の再調整の要否を判定し、
判定結果を出力する
ことを特徴とする請求項２に記載の機器監視システム。
【請求項４】
それぞれ異なる前記現場に設置された複数の前記通信機器を有し、
前記機器監視装置は、
各前記通信機器との通信状態を一覧表示する
ことを特徴とする請求項２に記載の機器監視システム。
【請求項５】
機器監視システムにおける通信管理方法であって、
前記機器監視システムは、
現場に設置され、無線通信回線を介して通信を行う通信機器と、
前記通信機器と前記無線通信回線を介して通信を行うと共に、前記通信機器との通信状態を監視する機器監視装置と
を有し、
前記機器監視装置が、一定周期で所定の疎通用信号を前記通信機器に送信する第１のステップと、
前記通信機器が、前記疎通用信号の受信履歴を管理し、一定期間内に前記疎通用信号を受信できなかった場合に、前記機器監視装置との間の通信経路を再確立するための所定の復旧用信号を前記機器監視装置に送信する第２のステップと
を備えることを特徴とする通信管理方法。
【請求項６】
前記第１のステップにおいて、
前記通信機器は、
前記現場における電波強度を定期的に取得し、
前記機器監視装置からの前記疎通用信号の応答として、最後に取得した前記電波強度を前記機器監視装置に送信し、
前記機器監視装置は、
前記通信機器から送信されてきた前記電波強度を表示する
ことを特徴とする請求項５に記載の通信管理方法。
【請求項７】
前記第１のステップにおいて、前記機器監視装置は、
前記電波強度又は当該電波強度に基づき判定される前記現場の電波レベルに基づいて、当該現場における電波受信用アンテナの設置位置の再調整の要否を判定し、
判定結果を出力する
ことを特徴とする請求項６に記載の通信管理方法。
【請求項８】
それぞれ異なる前記現場に設置された複数の前記通信機器を有し、
前記第１のステップにおいて、前記機器監視装置は、
各前記通信機器との通信状態を一覧表示する
ことを特徴とする請求項６に記載の通信管理方法。
【発明の詳細な説明】
【技術分野】
【０００１】
本発明は機器監視システム及び通信管理方法に関し、例えば、監視対象の制御機器の状態を監視する機器監視システムに適用して好適なものである。
【背景技術】
【０００２】
従来、通信ネットワークを管理するに際して、ディジタル通信方式における加入者線路に異常が発生した場合、不良個所を特定して、ユーザ宅への保守者派遣の必要性の有無を判断するもの（特許文献１参照）、あるいは、ディジタル回線の中継システムにおいて、ループ試験を利用した各チャネルの信号送受信の正常性の確認や不良個所の特定を行うもの（特許文献２参照）、また、基地局からのポーリングを使用せずに、通信端末の通信機能を診断するもの（特許文献３参照）、が提案されている。
【先行技術文献】
【特許文献】
【０００３】
【特許文献１】特開２００２−２１８００６号公報
【特許文献２】特開２００２−２３２５１５号公報
【特許文献３】特開２０１０−０８１２３３号公報
【発明の概要】
【発明が解決しようとする課題】
【０００４】
上記した特許文献１〜３に記載の技術では、無線通信回線の通信経路上で障害等が発生し、通信経路が切断された場合、通信経路を伝送する信号が通信機器に送信されないために、通信機器が通信を再確立するなどの処理を行わない限り、通信経路が切断されたことを通信相手が検出できないことが想定される。このため、無線通信回線ごとの通信状態を把握すると共に、通信経路が切断された場合の早期復旧手段が課題である。
【０００５】
本発明は以上の点を考慮してなされたもので、無線通信回線を利用した通信経路が切断された場合に早期復旧を行い得る、信頼性の高い機器監視システム及び通信管理方法を提案しようとするものである。
【課題を解決するための手段】
【０００６】
かかる課題を解決するため本発明においては、機器監視システムにおいて、現場に設置され、無線通信回線を介して通信を行う通信機器と、前記通信機器と前記無線通信回線を介して通信を行うと共に、前記通信機器との通信状態を監視する機器監視装置とを設け、前記機器監視装置が、一定周期で所定の疎通用信号を前記通信機器に送信し、前記通信機器が、前記疎通用信号の受信履歴を管理し、一定期間内に前記疎通用信号を受信できなかった場合に、前記機器監視装置との間の通信経路を再確立するための所定の復旧用信号を前記機器監視装置に送信するようにした。
【０００７】
また本発明においては、機器監視システムにおける通信管理方法であって、前記機器監視システムは、現場に設置され、無線通信回線を介して通信を行う通信機器と、前記通信機器と前記無線通信回線を介して通信を行うと共に、前記通信機器との通信状態を監視する機器監視装置とを有し、前記機器監視装置が、一定周期で所定の疎通用信号を前記通信機器に送信する第１のステップと、前記通信機器が、前記疎通用信号の受信履歴を管理し、一定期間内に前記疎通用信号を受信できなかった場合に、前記機器監視装置との間の通信経路を再確立するための所定の復旧用信号を前記機器監視装置に送信する第２のステップとを設けるようにした。
【０００８】
本機器監視システム及び通信管理方法によれば、無線通信回線を利用した通信経路が切断された場合に、直ちに通信機器により通信経路の再確立が行われるため、早期復旧を図ることができる。
【発明の効果】
【０００９】
本発明によれば、信頼性の高い機器監視システム及び通信管理方法を実現できる。
【図面の簡単な説明】
【００１０】
【図１】本実施の形態による機器監視システムの一実施の形態を示す全体構成図である。
【図２】機器監視装置の構成例を示すブロック図である。
【図３】取得情報管理データベーステーブル説明に供する概念図である。
【図４】通信機器の構成例を示すブロック図である。
【図５】通信機器側通信監視処理の処理手順を示すフローチャートである。
【図６】機器監視側通信監視処理の処理手順の例を説明するためのフローチャートである。
【図７】履歴情報一覧表示画面の一例を示す構成図である。
【発明を実施するための形態】
【００１１】
以下、図面について、本実施の形態の一実施の形態を説明する。
【００１２】
（１）本実施の形態による機器監視システムの構成
図１において、１は全体として本実施の形態による機器監視システムを示す。この機器監視システムは、機器監視装置１と、インターネット２と、複数の基地局（無線基地局）３１〜３ｎと、複数の通信機器４１〜４ｎと、複数の制御機器５１〜５ｎとを備えて構成される。
【００１３】
機器監視装置１は、各制御機器５１〜５ｎを監視及び制御するためのコンピュータ装置であり、例えば、パーソナルコンピュータ、ワークステーション又はオープンシステムなどから構成される。機器監視装置１は、インターネット２及び基地局３１〜３ｎを経由して各通信機器４１〜４ｎとそれぞれ接続されており、これら基地局３１〜３ｎ及び通信機器４１〜４ｎを介して各制御機器５１〜５ｎから情報を収集したり、各制御機器５１〜５ｎに対して必要なコマンドを送信する。
【００１４】
また機器監視装置１は、各通信機器４１〜４ｎとの通信状態を監視する機能をも有し、各通信機器４１〜４ｎに対して、その通信機器４１〜４ｎについて設定された周期で疎通用通信を実施すべく、所定フォーマットの信号（以下、これを疎通用信号と呼ぶ）をそれぞれ送信する。そして機器監視装置１は、かかる疎通用信号に対する通信機器４１〜４ｎからの応答の有無に基づいて各通信機器４１〜４ｎとの通信状態をそれぞれ判定して判定結果を管理すると共に、ユーザからの要求に応じて各通信機器４１〜４ｎとの通信状態を表示する。
【００１５】
基地局３１〜３ｎは、通信会社が保有する無線局であり、対応する通信機器４１〜４ｎと無線通信回線６１〜６ｎを介して接続される。基地局３１〜３ｎは、通信機器４１〜４ｎから無線通信回線６１〜６ｎを介して送信される無線通信規格に準拠した形式のパケットをＴＣＰ／ＩＰ（Transmission Control
Protocol/Internet Protocol）規格に準拠した形式のパケットに変換し、これをインターネット２を介して機器監視装置１に送信する。また基地局３１〜３ｎは、機器監視装置１からインターネット２を介して送信されるパケットを無線通信規格に準拠した形式のパケットに変換し、これを無線通信回線６１〜６ｎを介して対応する通信機器４１〜４ｎに送信する。
【００１６】
通信機器４１〜４ｎは、例えば、汎用の無線通信装置から構成され、無線通信回線６１〜６ｎを介して基地局３１〜３ｎと接続される。通信機器４１〜４ｎは、接続された制御機器５１〜５ｎの情報を機器監視装置１に送信し又は機器監視装置１からのコマンドを制御機器５１〜５ｎに送信するほか、設置現場の電波強度を所定周期（例えば20秒の１回）で計測し、その計測結果と、当該計測結果に基づき判定される後述の電波レベルとを、上述の疎通用信号に対する応答として機器監視装置１に送信する。また通信機器４１〜４ｎは、一定期間内に機器監視装置１からの疎通用信号を受信できなかった場合には、機器監視装置１との間の通信経路が切断されたものとして、機器監視装置１との間の通信経路を再確立するための所定フォーマットの復旧用信号を機器監視装置１に送信する。
【００１７】
制御機器５１〜５ｎは、機器監視装置１の監視及び制御対象となる機器であり、例えばエアコンディショナといった設備機器等から構成される。制御機器５１〜５ｎは、必要な情報を定期的又は不定期に通信機器４１〜４ｎを介して機器監視装置１に送信すると共に、機器監視装置１から通信機器４１〜４ｎを介して送信されるコマンドに基づいて要求された動作を実行する。
【００１８】
なお、図１において実線１０は、例えば、通信機器４１〜４ｎから機器監視装置１に対して、無線ネットワーク通信経路が確立されたことを伝送するための経路を示す。また図１において破線１１は、例えば、機器監視装置１から通信機器４１〜４ｎに対して一定周期で送信する疎通用信号の送信経路を示す。さらに図１において破線１２は、通信機器４１〜４ｎが機器監視装置１からの疎通用信号を受信できなかったときに、その通信機器４１〜４ｎから機器監視装置１に対して復旧用信号を送信する際の送信経路を示す。
【００１９】
図２は、機器監視装置１の構成例を示す。機器監視装置１は、ＣＰＵ２０、主記憶装置２１、入力装置２２、出力装置２３及び通信装置２４を備えて構成される。ＣＰＵ２０は、機器監視装置１全体を統括制御するプロセッサである。また主記憶装置２１は、例えば半導体メモリから構成され、各種プログラムを保持するために利用される。
【００２０】
入力装置２２は、ユーザが必要な情報を入力するためのデバイスであり、マウス及びキーボード等から構成される。また出力装置２３は、必要な情報やＧＵＩ（Graphical User Interface）を表示するためのデバイスであり、例えば、液晶ディスプレイや有機ＥＬディスプレイなどから構成される。
【００２１】
通信装置２４は、インターネット２及び基地局３１〜３ｎを介して通信機器４１〜４ｎと通信を行うための通信インタフェースであり、例えば、ＮＩＣ（Network Interface Card）を備えて構成される。
【００２２】
なお本実施の形態の場合、機器監視装置１の主記憶装置２１には、通信監視部２５及び取得情報管理データベーステーブル２６が格納される。
【００２３】
通信監視部２５は、上述のように各通信機器４１〜４ｎとの通信状態を監視する機能（以下、これを機器監視側通信監視機能と呼ぶ）を有するプログラムである。通信監視部２５は、各通信機器４１〜４ｎに対してそれぞれその通信機器４１〜４ｎについて予め設定された周期で疎通用信号を送信し、その応答として各通信機器４１〜４ｎからそれぞれ送信されてくるその通信機器４１〜４ｎの設置現場における電波強度及び電波レベルを取得情報管理データベーステーブル２６に格納して管理する。また通信監視部２５は、疎通用通信の成否に基づいて各通信機器４１〜４ｎとの通信状態を判定し、判定結果を取得情報管理データベーステーブル２６に格納して管理する。
【００２４】
取得情報管理データベーステーブル２６は、上述のように各通信機器４１〜４ｎから取得したこれら通信機器４１〜４ｎの設置現場における電波強度及び電波レベルや、各通信機器との通信状態を管理するために利用されるテーブルである。
【００２５】
この取得情報管理データベーステーブル２６は、図３に示すように、番号欄２６Ａ、通信機器ＩＤ欄２６Ｂ、基地局ＩＤ欄２６Ｃ、電波レベル欄２６Ｄ、電波測定値欄２６Ｅ、疎通用通信実施間隔欄２６Ｆ、通信状態欄２６Ｇ、疎通用通信応答受信時刻欄２６Ｈ及び復旧用通信受信時刻欄２６Ｉを備えて構成される。なお取得情報管理データベーステーブル２６の１つの行は、１つの通信機器４１〜４ｎに対応する。
【００２６】
そして番号欄２６Ａには、最上段の行から順番に通し番号がそれぞれ格納される。また通信機器ＩＤ欄２６Ｂには、対応する通信機器４１〜４ｎに付与された識別子（通信機器ＩＤ）が格納され、基地局ＩＤ欄２６Ｃには、対応する通信機器４１〜４ｎが機器監視装置１と通信を行う際に利用する基地局３１〜３ｎの識別子（基地局ＩＤ）が格納される。
【００２７】
電波測定値欄２６Ｅには、最後の疎通用信号の送信後に、その疎通用信号に対する応答として対応する通信機器４１〜４ｎから送信されてきた当該通信機器４１〜４ｎの設置現場における電波強度の測定値が格納される。
【００２８】
また電波レベル欄２６Ｄには、疎通用信号に対する応答として対応する通信機器４１〜４ｎから上述の電波強度と共に送信されてきた、その通信機器４１〜４ｎの設置場所における電波レベルが格納される。なお本実施の形態の場合、かかる電波レベルとして「レベル１」〜「レベル５」の５段階のレベルが存在し、電波強度が１〜85〔dBm〕である場合には「レベル５」、電波強度が86〜89〔dBm〕である場合には「レベル４」、電波強度が90〜99〔dBm〕である場合には「レベル３」、……のように判定される。
【００２９】
疎通用通信実施間隔欄２６Ｆには、対応する通信機器４１〜４ｎに対して予め設定された疎通用通信の実施間隔が格納され、通信状態欄２６Ｇには、かかる疎通用通信における対応する通信機器４１〜４ｎからの応答の有無により判定されたその通信機器４１〜４ｎとの間の通信状態が格納される。
【００３０】
なお通信状態欄２６Ｇに格納される通信状態としては、対応する通信機器４１〜４ｎとの間の通信に問題がない（正常である）ことを表す「正常」と、対応する通信機器４１〜４ｎとの通信状態が異常であったが復旧用通信により復旧したことを表す「復旧用通信により復旧」と、対応する通信機器４１〜４ｎとの復旧用通信によっても復旧せず、現地において作業員により復旧作業を実行すべき旨の「現地にて復旧作業要」となどがある。
【００３１】
さらに疎通用通信応答受信時刻欄２６Ｈには、対応する通信機器４１〜４ｎとの疎通用通信によりその通信機器４１〜４ｎからの応答を最後に受信した日時が格納され、復旧用通信受信時刻欄２６Ｉには、対応する通信機器４１〜４ｎから最後に復旧用通信を受信した日時が格納される。
【００３２】
一方、図４は、通信機器４１〜４ｎの構成例を示す。通信機器４１〜４ｎは、ＣＰＵ３０、主記憶装置３１、入力装置３２、出力装置３３及び通信装置３４を備えて構成される。
【００３３】
ＣＰＵ３０、主記憶装置３１、入力装置３２及び出力装置３３は、図２について上述した機器監視装置１の対応部位（ＣＰＵ２０、主記憶装置２１、入力装置２２及び出力装置２３）と同様の機能及び構成を有するものであるため、ここでの詳細説明は省略する。通信装置３４は、所定の無線通信規格に準拠した通信方式で基地局４との間で無線通信を行う機能を有する通信インタフェースである。
【００３４】
なお通信機器４１〜４ｎの主記憶装置３１には、通信監視部３５が格納される。通信監視部３５は、機器監視装置１との通信状態を監視し、機器監視装置１との通信経路が切断した場合に当該通信経路を再確立する機能（以下、これを通信機器側通信監視機能と呼ぶ）を有するプログラムである。
【００３５】
実際上、通信監視部３５は、機器監視装置１との疎通用通信の履歴情報（疎通用通信を行った日時等の情報）を主記憶装置３１に蓄積して管理する。そして通信監視部３５は、この履歴情報に基づいて一定期間内（自通信機器４１〜４ｎについて設定された周期内）に機器監視装置１との疎通用通信が行われていないと判定した場合には、機器監視装置１との間の通信経路を再確立すべく復旧用信号を機器監視装置１に送信する復旧用通信を実施する。
【００３６】
（２）通信機器側通信監視機能及び機器監視側通信監視機能に関する各種処理
次に、図５及び図６を用いて、上述した通信機器側通信監視機能と機器監視側通信監視機能とに関連して通信機器４１〜４ｎや機器監視装置１において実行される各種処理の処理内容を説明する。なお、以下において各種処理の処理主体を「プログラム（〜部）」として説明するが、実際上はそのプログラムに基づいて通信機器４１〜４ｎのＣＰＵ３０（図４）や機器監視装置１のＣＰＵ２０（図２）がその処理を実行することは言うまでもない。
【００３７】
図５は、通信機器側通信監視機能に関連して通信機器４１〜４ｎの通信監視部３５により実行される通信機器側通信監視処理の処理手順を示す。
【００３８】
通信監視部３５は、通信機器４１〜４ｎの電源が投入されると、この図５に示す通信機器側通信監視処理を開始し、まず、自通信機器４１〜４ｎについて設定された疎通用通信の実施間隔（図３の疎通用通信実施間隔欄２６Ｆを参照）が経過するまで待機する（Ｓ１）。例えば、その通信機器４１〜４ｎについて設定された疎通用通信の実施間隔が20秒であった場合、通信監視部３５は、このステップＳ１において20秒間待機することになる。なお、この疎通用通信の実施間隔は、予め各通信機器４１〜４ｎに設定される。
【００３９】
続いて通信監視部３５は、ステップＳ１の待機時間内に機器監視装置１と疎通用通信を行った履歴が主記憶装置３１（図４）に存在するか否かを判定する（Ｓ２）。そして通信監視部３５は、この判定で肯定結果を得るとステップＳ１に戻り、この後、ステップＳ１以降の処理を繰り返す。
【００４０】
これに対して、通信監視部３５は、ステップＳ２の判断で否定結果を得ると、自通信機器４１〜４ｎの設置現場における電波強度及び電波レベルを測定すると共に（Ｓ３）、その計測結果及び計測時刻を電波強度・電波レベル情報として主記憶装置３１に格納する（Ｓ４）。
【００４１】
また通信監視部３５は、ステップＳ４で主記憶装置３１に格納した電波強度・電波レベル情報を含む復旧用信号を機器監視装置１に送信する（Ｓ５）。かくして、この復旧用信号に基づいて機器監視装置１との通信が再開し、機器監視装置１との間の通信経路が再確立される。そして通信監視部３５は、ステップＳ１に戻り、この後、ステップＳ１以降の処理を繰り返す。
【００４２】
一方、図６は、機器監視側通信監視機能に関連して機器監視装置１の通信監視部２５（図２）により実行される機器監視側通信監視処理の処理手順を示す。通信監視部２５は、各通信機器４１〜４ｎに対して、それぞれ別個にこの機器監視側通信監視処理を実行する。
【００４３】
実際上、通信監視部２５は、機器監視装置１の電源が投入されると、この図６に示す機器監視側通信監視処理を開始し、まず、主記憶装置２１（図２）に格納された取得情報管理データベーステーブル２６（図３）を参照して、対象とする通信機器４１〜４ｎについて設定された疎通用通信実施間隔と同じ時間だけ待機する（Ｓ１１）。
【００４４】
続いて、通信監視部２５は、対象とする通信機器４１〜４ｎに疎通用信号を送信し（Ｓ１２）、この後、規定時間経過後にその通信機器４１〜４ｎから疎通用信号に対する応答が返ってきたか否かを判定する（Ｓ１３）。
【００４５】
通信監視部２５は、この判定で肯定結果を得ると、かかる取得情報管理データベーステーブル２６のその通信機器４１〜４ｎに対応するレコード（行）の通信状態欄２６Ｇに、その通信機器４１〜４ｎとの通信状態が正常である旨の情報（「正常」）を格納し（Ｓ１４）、その後、ステップＳ１１に戻る。そして通信監視部２５は、この後、ステップＳ１１以降の処理を繰り返す。
【００４６】
これに対して、通信監視部２５は、ステップＳ１３の判定で否定結果を得ると、その通信機器４１〜４ｎからの復旧用信号を受信するための待ち時間として予め設定された時間だけ待機し（Ｓ１５）、この後、ステップＳ１５の待機時間内に復旧用信号を受信したか否かを判定する（Ｓ１６）。
【００４７】
そして通信監視部２５は、この判断で肯定結果を得ると、取得情報管理データベーステーブル２６のその通信機器４１〜４ｎに対応するレコード（行）の通信状態欄２６Ｇに、その通信機器４１〜４ｎとの通信状態が復旧用通信により復旧した旨の情報（「復旧用通信にて復旧」）を格納した後（Ｓ１７）、ステップＳ１１に戻る。そして通信監視部２５は、この後、ステップＳ１１以降の処理を繰り返す。
【００４８】
これに対して、通信監視部２５は、ステップＳ１６の判断で否定結果を得ると、取得情報管理データベーステーブル２６のその通信機器４１〜４ｎに対応するレコード（行）の通信状態欄２６Ｇに、その通信機器４１〜４ｎとの通信状態が切断された状態にあり、その通信機器４１〜４ｎの設置現地に作業員を派遣して復旧作業を実施すべき旨の情報（「現地にて復旧作業要」）を格納する（Ｓ１８）。
【００４９】
次いで、通信監視部２５は、取得情報管理データベーステーブル２６のその通信機器４１〜４ｎに対応するレコード（行）の電波レベル欄２６Ｄに格納されている電波レベルが予め設定された閾値（例えば「レベル２」）以下であるか否かを判定する（Ｓ１９）。
【００５０】
この判定で否定結果を得ることは、対応する通信機器４１〜４ｎの設置現場の電波レベルがそれほど悪い状態ではないため、作業員による復旧作業後の通信状態の様子を見るという対応で十分であることを意味する。かくして、このとき通信監視部２５は、ステップＳ１１に戻り、この後、ステップＳ１１以降の処理を繰り返す。
【００５１】
これに対して、ステップＳ１９の判定で肯定結果を得ることは、対応する通信機器４１〜４ｎの設置現場の電波レベルが非常に悪い状態にあり、当該電波レベルを改善すべき状況にあることを意味する。かくして、このとき通信監視部２５は、かかる設置現場に設置された電波受信用アンテナの設置位置を再調整すべき旨を出力装置２３（図２）に出力（表示又はプリント等）させる（Ｓ２０）。そして通信監視部２５は、ステップＳ１１に戻り、この後、ステップＳ１１以降の処理を繰り返す。
【００５２】
（３）履歴情報一覧表示画面の構成
図７は、機器監視装置１を所定操作することにより出力装置２３に表示させ得る履歴情報一覧表示画面５０の構成例を示す。この履歴情報一覧表示画面５０は、制御機器５１〜５ｎがそれぞれ設置された各現場における通信機器４１〜４ｎの状態を一覧表示するための画面である。
【００５３】
この履歴情報一覧表示画面５０には、機器監視装置１に接続された図示しない各無線ルータの情報を一覧表示させるための情報表示ボタン５１と、取得情報管理データベーステーブル２６に蓄積された各種情報を表示させるための履歴情報表示ボタン５２と、この履歴情報一覧表示画面５０の表示を終了させるための終了ボタン５３とが表示される。なお図７は、履歴情報表示ボタン５２が選択されたときの履歴情報一覧表示画面５０の画面構成を示している。
【００５４】
この状態において、履歴情報一覧表示画面５０には、検索条件設定フィールド５４及び表示条件設定フィールド５５が設けられており、これらに加えて及び履歴情報一覧５６が表示される。
【００５５】
検索条件設定フィールド５４は、設置先のビルの識別コード（「ビルコード」）や、設置先のビルの名称（「ビル名」）、現在の設定状態（「設定状態」）、異常の有無のチェックの状況（「チェック」）及び異常の有無のテストの状況（「テスト状況」）など、後述する履歴情報一覧５６に情報を表示させるべき通信機器４１〜４ｎ（又は現場）の検索条件をするためのフィールドである。
【００５６】
そして検索条件設定フィールド５４の右側には、検索条件設定フィールド５４を用いて設定された条件により対応する通信機器４１〜４ｎ（又は現場）の検索を開始させるための検索開始ボタン５７が表示される。
【００５７】
また表示条件設定フィールド５５は、表示順序や表示件数など、上述した検索により検出した通信機器４１〜４ｎに関する情報を履歴情報一覧５６にどのように表示するかを設定するためのフィールドである。
【００５８】
一方、履歴情報一覧５６には、上述の検索により検出された対応する通信機器４１〜４ｎ（又は対応する現場に設置された通信機器４１〜４ｎ）に関する各種情報が一覧表示される。具体的には、対応する通信機器４１〜４ｎが設置されたビルの識別コード（「ビルコード」）、そのビルの名称（「ビル名」）、その通信機器４１〜４ｎのＩＰアドレス（「ＩＰアドレス」）、通信機器４１〜４ｎに対する監視の設定状態（「設定」）、その通信機器４１〜４ｎの設置現場における最新の電波レベルの状況（「最新チェック状態」）及びその通信機器４１〜４ｎに対する疎通用通信テストの状況や（「テスト状況」）、テスト結果（「正常」、「異常１」）などが一覧表示される。なお、疎通用通信テストのテスト結果における「異常１」とは、対応する現場における電波レベルが閾値よりも低いため、現地設置の電波受信用アンテナの設置位置の再調整が必要であることを意味する。
【００５９】
そして履歴情報一覧５６に表示された内容は、検索条件設定フィールド５４の右側に表示された「最新情報に変更」ボタン５８をクリックすることにより最新の情報に更新させることができる。
【００６０】
また履歴情報一覧５６の下側には、新たな通信機器４１〜４ｎを登録するための新規登録ボタン６０と、履歴情報一覧５６から所望する通信機器４１〜４ｎの情報を削除するための削除ボタン６１と、履歴情報一覧５６に表示された通信機器４１〜４ｎの設定情報を変更するための変更ボタン６２とが表示される。そして機器監視装置１の通信監視部２５は、これら新規登録ボタン６０、削除ボタン６１及び変更ボタン６２のいずれかがクリックされて新たな通信機器４１〜４ｎが登録されたり、履歴情報一覧５６から通信機器４１〜４ｎが削除されたり、又は履歴情報一覧５６に情報が表示された通信機器４１〜４ｎに対する設定が変更された場合、これに応じて取得情報管理データベーステーブル２６（図３）を更新する。
【００６１】
さらに履歴情報一覧５６の下側には、監視設定ボタン６３、休止設定ボタン６４及びテスト要求ボタン６５が表示される。監視設定ボタン６３は、履歴情報一覧５６に情報が登録された通信機器４１〜４ｎに対する監視の設定が、監視を行わないことを意味する「休止中」である場合に、これを監視対象とすることを意味する「監視中」に設定変更するためのである。また休止設定ボタン６４は、履歴情報一覧５６に情報が登録された通信機器４１〜４ｎに対する監視の設定が「監視中」である場合に、これを「休止中」に設定変更するためのボタンである。さらにテスト要求ボタン６５は、履歴情報一覧５６に情報が表示された通信機器４１〜４ｎに対する疎通用通信のテストを実行させるためのボタンである。
【００６２】
そして機器監視装置１の通信監視部２５（図２）は、履歴情報一覧５６に情報が表示されたいずれかの通信機器４１〜４ｎが選択されて監視設定ボタン６３又は休止設定ボタン６４がクリックされた場合には、そのとき選択された通信機器４１〜４ｎに対する監視を開始又は休止する。また通信監視部２５は、履歴情報一覧５６に情報が表示されたいずれかの通信機器４１〜４ｎが選択されてテスト要求ボタン６５がクリックされた場合には、その通信機器４１〜４ｎに対して疎通用信号を送信することにより、当該通信機器４１〜４ｎに対する通信状態のテストを実行する。
【００６３】
さらに履歴情報一覧５６の下側には、ＣＳＶ出力ボタン６６も表示される。そして機器監視装置１の通信監視部２５は、このＣＳＶ出力ボタン６６がクリックされた場合、そのときの履歴情報一覧５６の内容をＣＳＶ（Comma Separated Values）形式のファイルとして出力する。
【００６４】
（４）本実施の形態の効果
以上のように本実施の形態の機器監視システムでは、機器監視装置１が各通信機器４１〜４ｎに対してそれぞれその通信機器４１〜４ｎに対して設定された一定周期で疎通用信号を送信し、通信機器４１〜４ｎ側において、一定期間内に疎通用信号を受信しなかった場合に、機器監視装置１に復旧用信号を送信することにより機器監視装置１との間の通信経路を再確立する。
【００６５】
従って、本機器監視システムによれば、機器監視装置１及び通信機器４１〜４ｎ間の通信経路が切断された場合においても、直ちに通信機器４１〜４ｎにより通信経路の再確立が行われるため早期復旧を図ることができ、かくして信頼性の高い機器監視システムを構築することができる。
【００６６】
さらに本機器監視システムでは、機器監視装置１と通信機器４１〜４ｎとの通信状態や、現地に設置された電波受信用アンテナの設置位置の再調整の要否等の各種情報が履歴情報一覧表示画面５０内に表示されるため、現地での復旧作業が必要な場合にも、作業員に対して適切な作業内容の指示を与えることができる。
【００６７】
（５）他の実施の形態
なお上述の実施の形態においては、通信機器４１〜４ｎ（制御機器５１〜５ｎ）の設置現場における電波レベルを通信機器４１〜４ｎ側で判定するようにした場合について述べたが、本発明はこれに限らず、通信機器４１〜４ｎから機器監視装置１に対してその通信機器４１〜４ｎが測定した電波強度のみを通知し、機器監視装置１側において、その電波強度に基づいてその通信機器４１〜４ｎの設置位置の電波レベルを判定するようにしてもよい。
【００６８】
また上述の実施の形態においては、電波受信用アンテナの設置位置の再調整の要否を電波レベルに基づいて判定する（図６のステップＳ１９参照）ようにした場合について述べたが、本発明はこれに限らず、かかる要否を電波強度に基づいて判定するようにしてもよい。
【００６９】
さらに上述の実施の形態においては、各通信機器４１〜４ｎが無線通信回線６１〜６ｎを介し、さらにインターネット２を経由して機器監視装置１と間接的に接続された場合について述べたが、本発明はこれに限らず、各通信機器４１〜４ｎが無線通信回線６１〜６ｎを介して直接的に機器監視装置１と接続されている場合にも本発明を適用することができる。
【符号の説明】
【００７０】
１……機器監視装置、２……インターネット、４１〜４ｎ……通信機器、５１〜５ｎ……制御機器、２０，３０……ＣＰＵ、２１，３１……主記憶装置、２５，３５……通信監視部、２６……取得情報管理データベーステーブル、５０……履歴情報一覧表示画面。
【図１】
2018113627.tif 000003
【図２】
2018113627.tif 000004
【図３】
2018113627.tif 000005
【図４】
2018113627.tif 000006
【図５】
2018113627.tif 000007
【図６】
2018113627.tif 000008
【図７】
2018113627.tif 000009